(57)【要約】【課題】ユーザーがカメラを目視せずに、撮影終了時のタイミングをユーザーに振動で通知することにより、撮影終了からユーザーが分かるまでの時間を低減することを可能にした撮像装置を提供すること。【解決手段】  撮影を開始する部材において、その部材を振動させる振動制御部を有し、上記の振動制御部が振動しない通常モードと、上記の振動制御部が振動する振動通知  モードを有し、撮影装置の状態、制御値、設定値を含む状態量を取得する状態量取得手段を有し、撮影終了時に、上記の状態量取得手段で取得した状態量により、上記の振動させるモードと振動させないモードを切替える手段を備えた撮像装置を提供することを特徴と  する構成とした。【選択図】  図１
2019191434.tif 000002
【特許請求の範囲】
【請求項１】
撮影を開始する部材（１１０）において、その部材を振動させる振動制御部（１１１）を有し、
上記の振動制御部が振動しない通常モード（Ｓ２０５、Ｓ３０５）と、上記の振動制御部が振動する振動通知モード（Ｓ２０７、Ｓ３０７）を有し、
撮影装置の状態、制御値、設定値を含む状態量を取得する状態量取得手段（Ｓ２０３、Ｓ３０３）を有し、
撮影終了時に、上記の状態量取得手段で取得した状態量により、上記の振動させるモードと振動させないモードを切替える手段（Ｓ２０９、Ｓ３０９ 、Ｓ４３）を有することを特徴とする撮像装置。
【請求項２】
撮影を開始する部材（１１０）において、その部材を振動させる振動制御部（１１１）を有し、
上記の部材において、感圧センサを搭載しており、上記の部材を押されるかどうかの押下検知手段（Ｓ３１０）を有し、
上記の振動制御部が振動しない通常モード（Ｓ２０５、Ｓ３０５）と、上記の振動制御部が振動する振動通知モード（Ｓ２０７、Ｓ３０７）を有し、
撮影装置の状態、制御値、設定値を含む状態量を取得する状態量取得手段（Ｓ２０３、Ｓ３０３）を有し、
撮影終了時に、押下検知手段で検知した結果と上記の状態量取得手段で取得した状態量により、上記の振動させるモードと振動させないモードを切替える手段（Ｓ２０９、Ｓ３０９、Ｓ４３）を有することを特徴とする撮像装置。
【請求項３】
前記の判断手段における「状態量」は露光時間（Ｓ２０４、Ｓ３０４）であることを特徴とした請求項１または請求項２に記載の撮像装置。
【請求項４】
撮影を開始する部材（１１０）において、その部材を振動させる振動制御部（１１１）を有し、
撮影終了時に、上記の振動制御部が振動する手段（Ｓ２０９、Ｓ３０９、Ｓ４３）を有することを特徴とする撮像装置。
【請求項５】
撮影を開始する部材（１１０）について、撮影開始時に振動制御部が振動する場合に、撮影終了時に撮影開始時と違う振動の仕方で振動する（図５（ｂ））ことを特徴とした請求項１乃至４のいずれか１項に記載の撮像装置。
【発明の詳細な説明】
【技術分野】
【０００１】
本発明は撮像制御装置に関し、特に振動制御を利用し、撮影タイミングの通知制御に関するものである。
【背景技術】
【０００２】
近年、ユーザーの操作の利便性を高めるために、電子製品の中に様々な通知手段を搭載している。感圧センサと振動デバイスの連動で、ユーザーに振動で通知する手段はその中の一つである。感圧センサで感圧された圧力に応じ、振動を変更するということは、所謂フォースフィードバック（略称：ＦＦＢ）である。ＦＦＢを使用し、ユーザーが操作する時、電子製品を見ずに振動に応じて、情報を取得することができる。特に撮影装置において、ＦＦＢの利点、目視を入らないことを使用し、撮影装置に設定値を変更する提案が複数なされている。
【０００３】
例えば、特許文献１では、撮影する前に、設定値を設定する時、従来のやり方では、ファインダ上の表示や警告を目視する必要があるため、被写体を十分に視認できない時に、シャッターチャンスを逃すことに対し、撮像装置の設定値の変更により、振動でユーザーに通知することが開示されている。
【先行技術文献】
【特許文献】
【０００４】
【特許文献１】特開２０１１−１３３６８４号公報
【発明の概要】
【発明が解決しようとする課題】
【０００５】
しかしながら、上述の特許文献に開示された従来技術では、撮影に関する設定値に対し振動を行うだけで、撮影を行った後に、いつ設定値が設定できるかの判断が分かりにくい。特に長秒時撮影を行う時、カメラを目視するタイミングにより、撮影を終了してから次回の撮影の開始時間までの時間を延びる可能性があるため、シャッターチャンスを逃す可能性がある。
【０００６】
そこで、本発明の目的は、ユーザーがカメラを目視せずに、撮影終了時のタイミングをユーザーに振動で通知することにより、撮影終了からユーザーが分かるまでの時間を  低減することを可能にした撮像装置を提供することである。
【課題を解決するための手段】
【０００７】
撮影を開始する部材において、その部材を振動させる振動制御部を有し、
上記の振動制御部が振動しない通常モードと、上記の振動制御部が振動する振動通知  モードを有し、
撮影装置の状態、制御値、設定値を含む状態量を取得する状態量取得手段を有し、
撮影終了時に、上記の状態量取得手段で取得した状態量により、上記の振動させるモードと振動させないモードを切替える手段を備えた撮像装置を提供する。
【発明の効果】
【０００８】
本発明によれば、ユーザーがカメラを目視せずに、撮影終了時のタイミングをユーザーに振動で通知することにより、撮影終了からユーザーが分かるまでの時間を低減することを可能にした撮像装置を提供することができる。
【図面の簡単な説明】
【０００９】
【図１】本発明における構成図である。
【図２】実施例１における撮像装置の全体の動きのフローチャートである。
【図３】実施例２における撮像装置の全体の動きのフローチャートである。
【図４】実施例３における撮像装置の全体の動きのフローチャットである。
【図５】実施例におけるイメージ図である。
【図６】振動制御部１１３の構造である。
【発明を実施するための形態】
【００１０】
以下に、本発明の好ましい実施の形態を添付の図面に基づいて詳細に説明する。図１は、本実施形態に係る撮像装置の概略構成図である。
【００１１】
本実施形態に係る撮像装置は、カメラ本体１００と、カメラ本体１００に着脱可能なレンズユニット２００を含む。まず、カメラ本体１００の構成について説明する。マイクロコンピュータＣＰＵ(以下、カメラマイコン)１０１は、カメラ本体１０１の各部を制御する。メモリ１０２は、カメラマイコン１０１に接続されているＲＡＭやＲＯＭ等のメモリである。
【００１２】
シャッター１０４は、レンズユニット２００を介して入射した光束から撮像素子１０５を遮光する遮光状態、及び、レンズユニット２００を介して入射した光束を撮像素子１０５に導く退避状態となるように走行する。
【００１３】
撮像素子１０５は、赤外カットフィルタやローパスフィルタ等を含むＣＣＤ、ＣＭＯＳ等の撮像素子であり、レンズユニット２００を介して入射した光束を光電変換して画像信号を出力する。なお、本実施例の撮像素子１０５は、シャッター１０４を用いずに自身で露光時間を任意に制御する機能を備える。
【００１４】
ディスプレイ１０９は、カメラ本体１００の各種情報を表示する表示装置である。操作部１１０は、ユーザーがカメラ本体１００に撮影開始要求を出すためのレリーズボタンや、ユーザーがカメラ本体１００の各種設定を行うための設定ボタンなどを含む。レンズユニット２００は被写体の光学像を撮像面に形成する撮影光学系である。
【００１５】
振動モータ１１１はカメラ本体１００を振動させるためのアクチュエータで、図６が詳細な構造である。直流モータ６０１は直流電圧を印加すると分銅６０２を回転させる。分銅６０２は重心が直流モータ６０１のシャフト中央から偏っているため、回転すると振動が発生する。この振動がユーザーの触覚に刺激を与える。本実施例では撮影終了をユーザーに通知するために用いる。
【００１６】
［実施例１］
以下、図２と図５を参照して、本発明の第１実施例による、ユーザーがカメラを目視せずに、撮影終了時のタイミングをユーザーに振動で通知する制御について説明する。
【００１７】
図２は実施例１の全体のフローチャット図である。Ｓ２０１では、撮影装置において撮影モードであるかどうかの判断を行う。撮影モードである場合にＳ２０２に進む。撮影モードではない場合に、終了する。Ｓ２０２では、シャッターを制御する部材を半押ししたかどうかを判断する。即ち、操作部１１０を半押しされるかどうかを判断する。半押しした場合に、Ｓ２０３に進み、逆に操作部を半押す処理を待ち、またＳ２０２に戻る。
【００１８】
Ｓ２０３では、Ｓ２０２の半押しした時に決まった露光時間またユーザーが設定した露光時間を取得する。その後にＳ２０４に進む。Ｓ２０４では、Ｓ２０３で取得した露光時間がある秒数と比較する。ある秒数以下であれば、Ｓ２０５に進み、ＭＯＤＥに通常モードを設定する。ある秒数以上であれば、Ｓ２０６に進み、ＭＯＤＥに振動通知モードを設定する。Ｓ２０４の比較用の秒数について、撮像装置のデフォルト秒数でもいいし、ユーザーが設定してもよい。
【００１９】
Ｓ２０５またＳ２０６でＭＯＤＥを設定し終わったら、Ｓ２０７に進む。Ｓ２０７ではシャッターを制御する部材を全押ししたかどうかの判断を行う。即ち、操作部１１０を全押しされるかどうかを判断する。押下された場合に、Ｓ２０９の判断に進み、押下されない場合に、Ｓ２０２に戻る。Ｓ２０９では、Ｓ２０５またＳ２０６で設定されたＭＯＤＥの値により、Ｓ２１０の処理を行うか、Ｓ２０１に戻るかの判断を行う。ＭＯＤＥは振動通知モードである場合に、Ｓ２１０の振動処理を行う。ＭＯＤＥは通常モードである場合に、Ｓ２０１に戻る。Ｓ２１０では、振動制御部１１１が撮像装置を振動する処理を行う。
【００２０】
図５は振動タイミングのイメージ図である。図５（ａ）は露光を終了した後に、撮像装置を振動させる。ユーザーが振動により、撮影を終了することが分かる。図５（ｂ）は露光開始前に、振動する場合に、露光を終了した後に、露光開始前の振動と違う振動仕方で振動させる。ユーザーが振動仕方により、撮影を開始することと、撮影を終了することの区別ができる。
【００２１】
本発明によれば、ユーザーがカメラを目視せずに、撮影終了時のタイミングをユーザーに振動で通知することにより、撮影終了からユーザーが分かるまでの時間を低減することを可能にした撮像装置を提供することができる。
【００２２】
［実施例２］
以下、図３を参照して、本発明の第２実施例による、ユーザーがカメラを目視せずに、撮影終了時のタイミングをユーザーに振動で通知する制御について説明する。
【００２３】
図３は実施例２の全体のフローチャット図である。Ｓ３０１からＳ３０９の処理はＳ２０１からＳ２０９の処理と同じである。Ｓ３０１はＳ２０１と同じ、撮影装置は撮影モードであるかどうかの判断を行う。撮影モードである場合にＳ３０２に進む。撮影モードではない場合に、終了する。
【００２４】
Ｓ３０２では、シャッターを制御する部材を半押ししたかどうかを判断する。即ち、操作部１１０を半押しされるかどうかを判断する。半押しした場合にＳ３０３に進み、逆に操作部を半押す処理を待ち、またＳ３０２に戻る。Ｓ３０３では、Ｓ３０２の半押しした時に決まった露光時間またユーザーが設定した  露光時間を取得する。その後にＳ３０４に進む。
【００２５】
Ｓ３０４において、Ｓ３０３で取得した露光時間がある秒数と比較する。ある秒数以下であれば、Ｓ３０５に進み、ＭＯＤＥに通常モードを設定する。ある秒数以上であれば、Ｓ３０６に進み、ＭＯＤＥに振動通知モードを設定する。Ｓ３０４の比較用の秒数について、撮像装置のデフォルト秒数でもいいし、ユーザーが設定してもよい。
【００２６】
Ｓ３０５またＳ３０６でＭＯＤＥを設定し終わったら、Ｓ３０７に進む。Ｓ３０７ではシャッターを制御する部材を全押ししたかどうかの判断を行う。即ち、操作部１１０を全押しされるかどうかを判断する。押下された場合にＳ３０９の判断に進み、押下されない場合に、Ｓ３０２に戻る。ただし、実施例１と違う所は、Ｓ３０９でＭＯＤＥの値は振動通知モードである場合に、Ｓ３１０に進む。
【００２７】
Ｓ３１０では、操作部１１０で検知された圧力があるかどうかの判断を行う。圧力の値が０であれば、操作部を接触されないと判断し、撮影が終わっても、振動させずに、  Ｓ３０１に戻る。圧力０ではない場合に、操作部を接触していることを判断し、Ｓ３１１に進み、振動させる。Ｓ３１１の処理はＳ２１０と同じ、撮像装置を振動する処理を行う。
【００２８】
本発明によれば、ユーザーがカメラを目視せずに、撮影終了時のタイミングをユーザーに振動で通知することにより、撮影終了からユーザーが分かるまでの時間を低減することを可能にした撮像装置を提供することができる。
【００２９】
［実施例３］
以下、図４を参照して、本発明の第３実施例による、ユーザーがカメラを目視せずに、撮影終了時のタイミングをユーザーに振動で通知する制御について説明する。
【００３０】
図４は実施例３の全体のフローチャット図である。Ｓ４１とＳ４２がＳ２０１、Ｓ２０８またＳ３０１、Ｓ３０８と同じ処理である。Ｓ４１では、撮影装置は撮影モードであるかどうかの判断を行う。撮影モードである場合にＳ４２に進む。撮影モードではない場合に、終了する。ただし、実施例１と実施例２と違う所は、Ｓ４２では、撮影を終了した後に、Ｓ４３に進む。Ｓ４３の処理はＳ２０９またＳ３１０と同じ、振動制御部１１３が撮像装置を振動する処理を行う。つまり、露光時間によらずに、撮影終了後に、振動を行う。
【００３１】
本発明によれば、ユーザーがカメラを目視せずに、撮影終了時のタイミングをユーザーに振動で通知することにより、撮影終了からユーザーが分かるまでの時間を低減することを可能にした撮像装置を提供することができる。
【００３２】
以上、本発明の好ましい実施形態について説明したが、本発明はこれらの実施形態に限定されず、その要旨の範囲内で種々の変形及び変更が可能である。
【００３３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３４】
１００  カメラ本体
１０１  マイクロコンピュータＣＰＵ
１０２  メモリ
１０４  シャッター
１０５  撮像素子
１０９  ディスプレイ
１１０  操作部
１１１  振動モータ
２００  レンズユニット
【図１】
2019191434.tif 000003
【図２】
2019191434.tif 000004
【図３】
2019191434.tif 000005
【図４】
2019191434.tif 000006
【図５】
2019191434.tif 000007
【図６】
2019191434.tif 000008